(57)【要約】      （修正有）【課題】万が一ドローンが落下しても家屋や人を傷つけないよう、上空にネットを張る方法を提案する。【解決手段】スパイダーズネットカーゴ9の各固定端をドローン1でつり下げ、ビル4a〜4c,6や電柱5ａ，５ｂ、信号機7の各固定部3a〜3iに位置を合わせて、下降し、各固定端を各固定部にはめ込む。ドローン通過エリア2よりも、スパイダーズネットカーゴ9のネット部を広く取ることで、ドローン1が確実にスパイダーズネットカーゴ9上に落下し、スパイダーズネットカーゴ9に低位部8と高位部10を設けることで、ドローン1は墜落時に転がるか滑り、衝撃を和らげられる。又、スパイダーズネットカーゴ低位部の端を、ネットの折り返し又は袋状にすることで、転がり滑り落ちたドローン1を停留させることができ、回収が容易となる。設置エリアにマッチしたアート性のあるスパイダーズネットカーゴとすることで、地域住民に受け入れ易くできる。【選択図】図１
2018184012.tif 000002
【特許請求の範囲】
【請求項１】
設置スペース形状に対応した複数の固定端を設けたスパイダーズネットカーゴを設置場所とは異なる場所で製作し、該各固定端をドローンで釣り上げて設置場所まで運搬し、
設置場所における複数の固定端用固定部に固定するアートスパイダーズネットカーゴ設置システム。
【発明の詳細な説明】
【技術分野】
【０００１】
近年ドローンの活用により、離島や山間地等の交通インフラが充分でない地域での
医薬品や生活物資の運搬、又都市部でもより早い搬送システムを構築する動きが出てき
ているが、ドローンの墜落により家屋や人を傷つける可能性があるため、次世代技術の
象徴のように言われながら、世界的に見ても普及しづらいものとなっている。
このような環境下で、ドローンにパラシュートやエアバッグを装着する研究も盛んになってきているが、パラシュートやエアバッグの故障も０ではなく、又パラシュートや
エアバッグが上手く作動したとしても、例えば公園等で、上向きで寝そべって遊んでい
る子供に衝突すれば、失明等の重大事故の可能性も否定できない。
これらの理由が、世界的にみてもドローンの本格的な普及が遅れている大きな原因と
なっている。
打開策の一環として、ドローンの飛行ルートのうち家屋の上や人が通る可能性のある
エリアに関しては、万が一ドローンが落下しても家屋や人を傷つけないよう、すなわち
衝突しないようにするために上空にネットを張り、そこに落下するようにする技術が
必要となるが、本発明はこれらに関するものである。
【背景技術】
【０００２】
ドローンが墜落したときに受け取るネットカーゴを家屋よりも上空に設置するには、
電線や電信柱、高い樹木や信号機等の多くの障害物をかいくぐりながら、交通量の少な
い深夜に交通規制をして、運搬のために折りたたまれたネットカーゴの方向を間違えな
いように広げたり、高所まで固定端を持って行くのに梯子車を使ったり、梯子を使った
りと、煩雑な作業で時間がかかる上に、危険な作業が伴う。
又、このような煩雑で危険な作業が伴うがために、ネットカーゴの形状を作業性の
効率の為に単純化せざるを得なくなり、アート性を欠き景観を損ない、周辺住民に受け入れ難いものになってしまう可能性が高く、実質的にも進んでいない。
【先行技術文献】
【特許文献】
【０００３】
【特許文献１】特開平７−２４７７００
【発明の概要】
【発明が解決しようとする課題】
【０００４】
ドローンが飛来する地域住民に受け入れやすくするためには、既存の景観をむしろ
UPさせるようなアート性を持たせた複雑な形状で多彩な色使いにし、又設置されるエリアの歴史や文化を考慮した連続性・物語性等の表現を兼ね備えたネットカーゴにする必要がある。いわば、アートネットカーゴである。
【課題を解決するための手段】
【０００５】
あらかじめ工場でアートネットカーゴを製造し、該アートネットカーゴの複数の固定端や該アートネットカーゴの一部を複数のドローンで釣り上げて、設置エリアまで運び、上からかぶせるような感じで設置し、各固定端を港に設置された係船柱のようなイメージの各固定部にはめ込むようにする。
また、該アートネットカーゴの固定端であるが、動物のクモが自然の環境をうまく
利用して固定端を複数設け、それぞれ一本の固定端の荷重負担を減らしてクモの巣を張ると同様に、既存のインフラであるビルや鉄塔、電信柱、信号機等に固定部を設定し、該固定部に固定端をひっかけることで、なるべく既存の自然や建造物の形体を変えることなく、そこに帽子のようにかぶせるアート作品として、住民の心を癒すようなものにする。
いわば、アートスパイダーズネットカーゴを提案する。
設置エリア付近に家屋よりも高い建物がない場合には、新たに柱や塔を設定する必要があるが、例えばらせん階段付で、見晴らし台を設定するような付加価値をつければ、
ジョギングやウオーキングで足を鍛えながら、飛来するドローンの形や色を近くで見て楽しむことが可能となり、電車や車のファンが居るように、ドローン図鑑が整備され、ドローンファンやドローン撮影ファンが生まれ、ドローンメーカによる外見での競争も生じ、活性化したビジネスが展開されることになる。
【発明の効果】
【０００６】
本発明により、既存の居住区の建造物や自然環境の変更を最小限に留めて、比較的簡単な工事にて、居住区の美観向上とドローンの墜落時の家屋や人体への安全が保障される。
【図面の簡単な説明】
【０００７】
【図１】ビルや電柱などの既存の施設の上に固定端を通す固定部を設けて、クモの巣のように多数の固定部を持つスパイダーズネットカーゴの例を示した図である。
【発明を実施するための形態】
【０００８】
まずデザイナーに入ってもらい、その設置エリアにふさわしい芸術性の高いアートスパイダーズネットカーゴを設計してもらい、そしてあらかじめ工場でアートスパイダーズネットカーゴを製造し、該アートスパイダーズネットカーゴの複数の固定端や該アートスパイダーズネットカーゴの一部を複数のドローンで釣り上げて、設置エリアまで運び、上からかぶせるような感じで各固定端を各固定部にはめ込むことで、該アートスパイダーズネットカーゴが設置される。
【０００９】
図1において、設置エリアにマッチしたアート性のあるスパイダーズネットカーゴ9の各固定端3をドローン1でつり下げ、ビル4,6や電柱5、信号機7の各固定部3’に位置を合わせて、ゆっくり下降し、各固定端3を各固定部3’にはめ込むことで、該スパイダーズネットカーゴ9の自重により、震度７レベルの地震等に対しても安定的な設置となる。
ドローン通過エリア2よりも、スパイダーズネットカーゴ9のネット部を広く取ることで、ドローン1が落下した場合に確実にスパイダーズネットカーゴ9上に落下し、スパイダーズネットカーゴ9にスパイダーズネットカーゴ低位部9とスパイダーズネットカーゴ高位部10を設けることで、ドローン1の墜落時に転がるか滑り、衝撃を和らげることができる。
又、スパイダーズネットカーゴ低位部8の端を、ネットの折り返し又は袋状にすることで、転がり滑り落ちてきたドローン1を停留させることができ、又ドローン1の回収が容易となる。
【産業上の利用可能性】
【００１０】
本発明により、都市部のドローンの安全飛行が確保され、ドローンによる荷物の配達のビジネスが日本のみならず世界で活性化される。
アート性のあるスパイダーズネットカーゴは、新たな観光資源を伴う街づくりに貢献する。設置が容易なので、芸術家による月替わりでデザインを競うのもいいし、看板やメッセージ（道案内・店舗案内）などを張り付けて、新たな商業資源にもなり、またLEDアート等の、夜空を楽しむものにすることも可能である。
【符号の説明】
【００１１】
１ ドローン
２ ドローン通過エリア
３ 固定端（３’固定部）
４ 高いビル
５ 電柱
６ 低いビル
7 信号機
8 スパイダーズネットカーゴ低位部（折り返し部）
9 スパイダーズネットカーゴ
10 スパイダーズネットカーゴ高位部
【図１】
2018184012.tif 000003